【手続補正書】
【提出日】平成28年3月2日(2016.3.2)
【手続補正１】
【補正対象書類名】明細書
【補正対象項目名】００１０
【補正方法】変更
【補正の内容】
【００１０】
上記の目的を達成するための本発明による情報処理装置は以下の構成を備える。即ち、アプリケーションのインストールを制御する情報処理装置であって、
インストール対象のアプリケーションを取得する取得手段と、
アプリケーションに関する処理を規定する規定情報から、ユーザがインストールを許可するアプリケーションの対象配信地域の地理情報を取得する第１の手段と、
前記取得手段で取得したアプリケーションから、該アプリケーションの対象配信地域の地理情報を取得する第２の手段と、
前記第１の手段が取得した地理情報と前記第２の手段が取得した地理情報とを比較し、その比較結果に基づいて、前記取得手段で取得したアプリケーションのインストールの可否を判定する判定手段と
を有する。
【手続補正２】
【補正対象書類名】特許請求の範囲
【補正対象項目名】全文
【補正方法】変更
【補正の内容】
【特許請求の範囲】
【請求項１】
アプリケーションのインストールを制御する情報処理装置であって、
インストール対象のアプリケーションを取得する取得手段と、
アプリケーションに関する処理を規定する規定情報から、ユーザがインストールを許可するアプリケーションの対象配信地域の地理情報を取得する第１の手段と、
前記取得手段で取得したアプリケーションから、該アプリケーションの対象配信地域の地理情報を取得する第２の手段と、
前記第１の手段が取得した地理情報と前記第２の手段が取得した地理情報とを比較し、その比較結果に基づいて、前記取得手段で取得したアプリケーションのインストールの可否を判定する判定手段と
を有することを特徴とする情報処理装置。
【請求項２】
前記取得手段は、アプリケーションを、アプリケーション配信サービス、または外部記憶装置から取得する
ことを特徴とする請求項１に記載の情報処理装置。
【請求項３】
前記規定情報は、前記情報処理装置に予め設定されたセキュリティポリシーに基づく情報であることを特徴とする請求項１又は２に記載の情報処理装置。
【請求項４】
前記アプリケーションの対象配信地域の地理情報は、前記アプリケーションを使用する行為が特定の地域内で行われることを推奨するために利用される地理情報であることを特徴とする請求項１乃至３の何れか１項に記載の情報処理装置。
【請求項５】
前記判定手段は、前記第１の手段が取得した地理情報が示す地域及び前記第２の手段が取得した地理情報が示す地域のうち一方の地域が他方の地域の一部であるか否かに基づいて、前記取得手段で取得したアプリケーションのインストールの可否を判定する請求項１乃至４のいずれか１項に記載の情報処理装置。
【請求項６】
前記判定手段は、前記第１の手段が取得した地理情報が示す地域と前記第２の手段が取得した地理情報が示す地域とが同じ地域である場合に、前記取得手段で取得したアプリケーションのインストールが可能である判定する請求項１乃至４のいずれか１項に記載の情報処理装置。
【請求項７】
前記第２の手段が取得したアプリケーションの対象配信地域の地理情報には、少なくとも、該アプリケーションのインストールを許可する地域の地理情報、アプリケーションのインストールを禁止する地域の地理情報、該アプリケーションの実行を許可する地域の地理情報、およびアプリケーションの実行を禁止する地域の地理情報のいずれかを含むことを特徴とする請求項１乃至６の何れか１項に記載の情報処理装置。
【請求項８】
アプリケーションのインストール又は実行を制御する情報処理装置であって、
当該情報処理装置に搭載されるＧＰＳからのＧＰＳ情報を取得するＧＰＳ情報取得手段と、
前記アプリケーションから、該アプリケーションの対象配信地域の地理情報を取得する取得手段と、
前記ＧＰＳ情報に対応する地理情報と前記取得手段が取得した地理情報とを比較し、その比較結果に基づいて、前記アプリケーションのインストール又は実行の可否を判定する判定手段とを有し、
前記取得手段が取得した地理情報は、少なくとも、アプリケーションのインストールを許可する地域の地理情報、アプリケーションのインストールを禁止する地域の地理情報、アプリケーションの実行を許可する地域の地理情報、およびアプリケーションの実行を禁止する地域の地理情報のいずれかを含む
ことを特徴とする情報処理装置。
【請求項９】
前記取得手段は、更に、前記取得した地理情報が、パス情報であるか否かを判定し、
前記取得手段は、前記取得した地理情報がパス情報でないと判定した場合は、前記取得した地理情報をパス情報に変換する
ことを特徴とする請求項８に記載の情報処理装置。
【請求項１０】
前記ＧＰＳ情報に対応する地理情報と前記取得手段が取得した地理情報とを比較し、その比較結果に基づいて、処理対象のアプリケーションの優先順位を決定する決定手段を更に有する
ことを特徴とする請求項８に記載の情報処理装置。
【請求項１１】
前記アプリケーションの対象配信地域の地理情報は、前記アプリケーションを使用する行為が特定の地域内で行われることを推奨するために利用される地理情報であることを特徴とする請求項８乃至１０の何れか１項に記載の情報処理装置。
【請求項１２】
アプリケーションのインストールを制御する情報処理装置の制御方法であって、
インストール対象のアプリケーションを取得する取得工程と、
アプリケーションに関する処理を規定する規定情報から、ユーザがインストールを許可するアプリケーションの対象配信地域の地理情報を取得する第１の工程と、
前記取得工程で取得したアプリケーションから、該アプリケーションの対象配信地域の地理情報を取得する第２の工程と、
前記第１の工程で取得した地理情報と前記第２の工程で取得した地理情報とを比較し、その比較結果に基づいて、前記取得工程で取得したアプリケーションのインストールの可否を判定する判定工程と
を有することを特徴とする情報処理装置の制御方法。
【請求項１３】
前記取得工程では、アプリケーションを、アプリケーション配信サービス、または外部記憶装置から取得する
ことを特徴とする請求項１２に記載の情報処理装置の制御方法。
【請求項１４】
前記アプリケーションの対象配信地域の地理情報は、前記アプリケーションを使用する行為が特定の地域内で行われることを推奨するために利用される地理情報であることを特徴とする請求項１２又は１３に記載の情報処理装置の制御方法。
【請求項１５】
アプリケーションのインストール又は実行を制御する情報処理装置の制御方法であって、
当該情報処理装置に搭載されるＧＰＳからのＧＰＳ情報を取得するＧＰＳ情報取得工程と、
前記アプリケーションから、該アプリケーションの対象配信地域の地理情報を取得する取得工程と、
前記ＧＰＳ情報に対応する地理情報と前記取得工程で取得した地理情報とを比較し、その比較結果に基づいて、前記アプリケーションのインストール又は実行の可否を判定する判定工程とを有し、
前記取得工程で取得した地理情報は、少なくとも、アプリケーションのインストールを許可する地域の地理情報、アプリケーションのインストールを禁止する地域の地理情報、アプリケーションの実行を許可する地域の地理情報、およびアプリケーションの実行を禁止する地域の地理情報のいずれかを含む
ことを特徴とする情報処理装置の制御方法。
【請求項１６】
前記取得工程では、更に、前記取得した地理情報が、パス情報であるか否かを判定し、
前記取得工程では、前記取得した地理情報がパス情報でないと判定した場合は、前記取得した地理情報をパス情報に変換する
ことを特徴とする請求項１５に記載の情報処理装置の制御方法。
【請求項１７】
前記ＧＰＳ情報に対応する地理情報と前記取得工程で取得した地理情報とを比較し、その比較結果に基づいて、処理対象のアプリケーションの優先順位を決定する決定工程を更に有する
ことを特徴とする請求項９に記載の情報処理装置の制御方法。
【請求項１８】
前記アプリケーションの対象配信地域の地理情報は、前記アプリケーションを使用する行為が特定の地域内で行われることを推奨するために利用される地理情報であることを特徴とする請求項１５乃至１７の何れか１項に記載の情報処理装置の制御方法。
【請求項１９】
コンピュータを、請求項１乃至１１の何れか１項に記載の情報処理装置の各手段として機能させるためのコンピュータプログラム。